(57)【特許請求の範囲】
【請求項１】
植物および該植物の培地を載置するための棚板と、該棚板を支持するための支柱とを具備する建築物の壁面緑化構築体であって、
前記棚板と前記支柱との間が着脱自在で、かつ一体的に組付けられており、
前記棚板は、底板部と、この底板部から垂直方向に立ち上げられた前板部とにより、断面略Ｌ字状に形成されているとともに、前記底板部には、両側端面間に渡って１ないし２の凹溝が形成され、
前記支柱は、略矩形状の背板部と、この背板部と一体的で前面側に突出して形成された一対の側板部とを有し、これら一対の側板部には、前記棚板の前記底板部が着脱自在に装着される切欠部が、前記背板部の前面側に開口して形成されているとともに、この切欠部の上側には小溝が連通して形成され、
前記棚板の前記底板部を、前記支柱の前記切欠部内に装着して、前記棚板の前記底板部に形成されたいずれか一方の凹溝と、前記支柱の前記小溝とを合致させ、
さらに、この互いに合致された一方の凹溝と前記小溝との間に、予め用意された棒状の係止部材が水平方向から差し渡されることにより、前記棚板と前記支柱との間が着脱自在に一体的に組付けられていることを特徴とする建築物の壁面緑化構築体。
【請求項２】
前記棚板の前記底板部に凹溝を２つ設けた場合に、前記棒状の係止部材が差し渡されない他方の凹溝に潅水用のパイプを沿わせることを特徴とする請求項１に記載に建築物の壁面緑化構築体。
【請求項３】
前記支柱の前記背板部と前記棚板の前記底板部との間の間隙に、合成樹脂製の発泡体を前記背板部に沿わせて面方向に敷設したことを特徴とする請求項１または２に記載の建築物の壁面緑化構築体。
【請求項４】
前記発泡体は、メタクリル樹脂発泡体であることを特徴とする請求項３に記載の建築物の壁面緑化構築体。
【発明の詳細な説明】
【技術分野】
【０００１】
本発明は、例えば、都市部における建築物の環境緑化のため、用いられた棚板が壁面に沿って立設された支持体から意図せず抜き取られたりしない構造を有し、設置される建築物の防音等にも寄与することができ、さらには建築物の外壁面や建築物周辺の外観美麗性にも寄与することのできる壁面緑化構築体に関する。
【背景技術】
【０００２】
コンクリートによる土木構造物や都市部における建築物の環境緑化のため、様々な提案がなされている。
例えば、従来の土木構造物の壁面緑化構造として、水路や擁壁などの壁面に沿って設けた複数本の支柱間に土留板を横臥した姿勢で配置するとともに、土留板の内面の棚部に植生土を充填した組立柵工（例えば特許文献１）が知られている。
【０００３】
さらに、擁壁などの前面に沿わせて複数の支柱を立設し、この支柱間に高さ方向に所定間隔離間して梁を差し渡し、この梁上に不織布からなるマットと、不織布からなる植生シートと、ネットとを積層した構造により擁壁などを緑化する方法（例えば特許文献２）も提案されている。
【０００４】
また、都市部の環境緑化のための構造としては、梁部材及び横架材による鋼構造の骨組みを有し、樹木を植栽する植栽ポットを横架材に支持させることにより建築物の外面面を緑化する方法（例えば特許文献３）が提案されている。
【０００５】
さらに、建築物の窓枠などの下方にユニット式の壁面緑化装置として、植物の栽培容器を有する緑化パネルを複数個取付けし、この栽培容器内に不織布等の培地を収納し、この栽培容器の側部に導水管を挿入するための挿入口を設け、組立と給水を容易にした壁面緑化装置も提案されている（例えば特許文献４）
また、土木構造物にも都市部の建築物にも適用できる緑化構造として、支柱と壁面材との間に空間部を形成し該空間部に通水性を有する袋に土壌を充填した土壌袋を複数段積み重ねることにより十分な土壌を確保し緑化する方法（例えば特許文献５）がある。
【０００６】
一方、保管、搬送、展示などが可能な植栽装置として、透水性と保水性の両機能を有する特殊な不織布バッグに培土を充填して、この不織布バッグ内で植栽する方法などが知られている（例えば特許文献６）。
【先行技術文献】
【特許文献】
【０００７】
【特許文献１】特許第３５３７３９８号公報
【特許文献２】特許第２８１６９３３号公報
【特許文献３】特開２００７−２７４９４８号公報
【特許文献４】特許第４３１５７３２号公報
【特許文献５】特許第３３９０８６１号公報
【特許文献６】特開２００６−１２１９１６号公報
【発明の概要】
【発明が解決しようとする課題】
【０００８】
上述したように、自然界や都市構造物を問わず壁面緑化として様々な提案がなされているが、それぞれに種々の課題が存在する。
例えば、特許文献１のように、棚板に直接土壌を充填する場合、棚板から土壌がこぼれないように注意深く施工する必要があることから施工工数が増加し施工費用が高くなるという課題を有している。また、特許文献１のように、棚板に直接土壌を充填する場合には、雨が降ると棚板上の土壌が流出し易く、流出した土壌が地面に貯まったり、建築物壁面を汚したりするため、建築物の外観や周辺部の外観美麗性にとって問題を生じる可能性がある。
【０００９】
これに対して、特許文献２のように、土壌を充填する代わりにシート・マット・ネットを積層すると土壌の流出はある程度防止できるものの、積層体の構造が複雑なためコストが高くなる虞がある。また、積層したものがシート状であるため、敷設作業性は必ずしも優れたものではない。
【００１０】
また、特許文献３のように、土壌を直接充填したり植栽ポットの類を用いる場合、多くは土壌上面が外気に開放されるため雑草が生えやすく、外観美麗性を損ねたり、除草といったメンテナンスの作業工数が増加するといった問題を生じる。
【００１１】
さらに、特許文献４のように、各パネルに設けられた栽培容器に給水装置を接続したものでは、多数のパネルが必要になるとともに、給水装置が外部に露見し易い。
また、特許文献５のように、植物を育成するための土壌を通水性を有する不織布製の袋に入れて敷設すると作業性の改善は期待できるが、植栽されるのが一番上の袋だけとなり易く、壁面全体を被覆しようとすると、ツタ状植物しか選定できず、生育するまでの長期にわたり、壁面が被覆されない。また、当該袋の上面は太陽光にさらされる場合があり、単なる袋では耐候性に問題がある。
【００１２】
一方、特許文献６のように、保水性と透水性を両方要する不織布バッグを用いると散水面で効果があると推定されるものの、例えば、都市部での建築物の外壁面の壁面緑化に適用できるか否かは定かでない。
【００１３】
ところで、近年では、特に、温暖化による都市部での温度上昇を防止する観点から、今までにもまして建築物の外壁面の壁面緑化が着目されている。
ところが、このように建築物の外壁面の壁面緑化を行う場合には、壁面緑化の面積を必要に応じて広くする必要があるとともに建築物の外壁部の面積にあわせて壁面緑化の大きさを調整しなければならない。
【００１４】
また、棚板は単に差し込んだだけでは、いたずらに遭い易く、場合によっては棚板が取り外されてしまうという問題があった。さらに、建築物の外壁面を緑化する場合には、土の漏れ出しを防止する必要があり、土が漏れ出てしまうと、美観を損ねてしまう。また、壁面緑化を行った場合に、様々な種類の植物を育成することが求められている。
【００１５】
本発明はこのような実情に鑑み、建築物の外壁面を緑化する場合に、必要に応じてどのような大きさにも構成することができ、また棚板がいたずらにより取り外されてしまうことがなく、しかも、周囲の美観を損なわずに壁面緑化を構築することが可能で、さらには、様々な種類の植物を育成することができる建築物の壁面緑化構築体を提供することを目的としている。
【課題を解決するための手段】
【００１６】
上記目的を達成するための本発明に係る建築物の壁面緑化構築体は、
植物および該植物の培地を載置するための棚板と、該棚板を支持するための支柱とを具備する建築物の壁面緑化構築体であって、
前記棚板と前記支柱との間が着脱自在で、かつ一体的に組付けられており、
前記棚板は、底板部と、この底板部から垂直方向に立ち上げられた前板部とにより、断面略Ｌ字状に形成されているとともに、前記底板部には、両側端面間に渡って１ないし２の凹溝が形成され、
前記支柱は、略矩形状の背板部と、この背板部と一体的で前面側に突出して形成された一対の側板部とを有し、これら一対の側板部には、前記棚板の前記底板部が着脱自在に装着される切欠部が、前記背板部の前面側に開口して形成されているとともに、この切欠部の上側には小溝が連通して形成され、
前記棚板の前記底板部を、前記支柱の前記切欠部内に装着して、前記棚板の前記底板部に形成されたいずれか一方の凹溝と、前記支柱の前記小溝とを合致させ、
さらに、この互いに合致された一方の凹溝と前記小溝との間に、予め用意された棒状の係止部材が水平方向から差し渡されることにより、前記棚板と前記支柱との間が着脱自在に一体的に組付けられていることを特徴としている。
【００１７】
このような構成であれば、棚板の組付け作業性が良好である。
また、建築物の外壁面の大きさに棚板の全長を合わせれば、どのような大きさにも適合させることができる。
【００１９】
このような構成による本発明によれば、棚板および支柱の間に抜け止め機能を有する係止構造を具備しているため、緑化施工状態において棚板を容易に取り外す事ができないため、いたずらに合い難く、保守管理がしやすい。
【００２０】
また、棚板の底板部に２つの凹溝が形成されていれば、いずれか一方の凹溝を支柱との取り付けに選択すれば、棚板の前面側への突出長さを調整することができる。
また、本発明は、前記棚板の前記底板部に凹溝を２つ設けた場合に、前記棒状の係止部材が差し渡されない他方の凹溝に潅水用のパイプを沿わせることが好ましい。
【００２１】
このような構成であれば、潅水用のパイプを外部に露見させずに水やりを行うことができる。
さらに、本発明では、前記支柱の前記背板部と前記棚板の前記底板部との間の間隙に、合成樹脂製の発泡体を前記背板部に沿わせて面方向に敷設することが好ましい。
【００２２】
また、前記発泡体は、メタクリル樹脂発泡体であることが好ましい。
このような構成であれば、壁面緑化に限らず防音効果を持たせることができる。
【発明の効果】
【００２３】
本発明により、建築物の壁面緑化構造を敷設するにあたり、どのような広さにも適用可能で、施工が容易となる。また、いたずらなどにより棚板が不用意に取り外される虞がない。
【００２４】
さらに、土壌を袋体内に装填しこの袋体を棚板上に載置して植物を栽培すれば、雑草の繁殖、培地の流出より外観美麗性が損なわれることも防止することが可能である。
また、棒状の係止部材が差し渡されない凹溝内にパイプを沿わせれば、このパイプが外部に露出することもなく、また灌漑用パイプの設置スペースを多大に確保する必要がないので、コンパクトな構造となる。
【００２５】
さらに、棚板と支柱の背板部との間に、合成樹脂製の発泡体を敷設することにより、建物外壁の汚損低減や防音性向上にも寄与することが出来る。
【図面の簡単な説明】
【００２６】
【図１】図１（Ａ）は本発明の一実施例に係る壁面緑化構築体の正面図、図１（Ｂ）はその平面図である。
【図２】図２は図１に示した支柱と、棒状の係止部材との関係を示した斜視図である。
【図３】図３（Ａ）は図１に示した棚板の斜視図で、図３（Ｂ）は図３（Ａ）の側断面図である。
【図４】図４は図１に示した支柱に棚板を組付けたときの側面図である。
【図５】図５は本発明の一実施例に係る壁面緑化構築体に植物が栽培された状態を示す正面図である。
【発明を実施するための形態】
【００２７】
以下、図面を参照しながら本発明に係る壁面緑化構築体の実施例について説明する。
図１は本発明の一実施例に係る壁面緑化構築体１を示したものである。
本発明の壁面緑化構築体１は、建築物の外壁面８に沿って立設される複数本の支柱４と、両端部の支柱４，４間に差し渡される複数本の棚板６とが一体的に組付けられることにより構成されている。
【００２８】
図１に示した緑化壁面構築体１では、上下方向に立設された３本の支柱４と、水平方向に配置された５枚の棚板６とから構成されたものを例示している。しかしながら、後述するように、支柱４と棚板６の個数や長さを調整すれば、全体の縦横の長さを調整することができ、緑化面積の増減を図ることができる。
【００２９】
本発明の支柱４および棚板６の材質については特に制限されるものではなく、設置環境と棚板６に載せる培地その他の重量などを考慮して決定される。
すなわち、支柱４および棚板６は、強度、耐久性を満足すればいずれの材質であっても良い。しかしながら、建築物に直接固定される場合は、耐火性を有するように鉄、アルミニウムなどの金属から形成されることが好ましい。また、これらの材質にメッキや塗装といった表面処理を行い、耐候性・耐久性を向上させることもできる。
【００３０】
具体的に、本実施例の支柱４と棚板６は、異形押し出しのアルミニウム合金材を用い、表面に皮膜処理をしたものが採用されている。例えば、ＪＩＳ  Ｈ４１００のＡ６０６３Ｓアルミニウム合金にＪＩＳ  Ｈ８６０２のＢ種の表面処理をしたものが耐久性、耐候性より好適である。
【００３１】
隣接する支柱４，４間の距離や棚板６，６間の距離、あるいは図１（Ａ）に示したように棚板６の建築物の外壁面８からの突き出し幅Ｓは、棚板６に載せる培地その他の重量などを考慮して必要な強度を確保できるように適宜設計・選定することができる。
【００３２】
支柱４の断面形状、肉厚についても同様に強度を考慮し適宜選定すれば良い。
本発明の支柱４の固定方法は、例えば、建築物の外壁面８に、ボルトなどを用いて固定する方法、支柱４の下端を地面に埋設し固定する方法、主に上層階からワイヤーで吊した上で、風などで浮き上がることがないように外壁面８にフックなどで固定する方法を採用することもできる。
【００３３】
このうち、外壁面８にボルトを用いて固定する方法が施工し易く、その場合、地盤を補強する必要が無いので、施工の自由度が高いため好ましい。この際、建築物の外壁面８各部は、本発明の壁面緑化構築体を取り付けることを想定した強度設計を織り込んでおくことが当然好ましい。
【００３４】
なお、本発明において、前、後、背面など方向を示す文言は、説明の都合上便宜的に用いたもので、本明細書では、重力が作用する方向を下方あるいは底面側とし、また、左右などの方向は、建築物の外壁面８の前に人が立った姿勢でその外壁面８を見たときの視野で規定している。すなわち、その外壁面８から離反する方向を前、外壁面８に沿う水平方向を左あるいは右として説明する。
【００３５】
本実施例の支柱４は、図２に示したように、上下方向に立設される背板部１２と、この背板部１２と一体的でかつ背板部１２の前面側に突出して形成された一対の側板部１４、１４とからなり、断面略一定に形成されている。
【００３６】
また、この支柱４の背板部１２の耳部には、建築物の外壁面８との間にボルトを挿通するための孔１０が、高さ方向の所定間隔置きに形成されている。
一方、支柱４の側板部１４には、図３（Ａ）、（Ｂ）に示した棚板６を取り付けるための切欠部１６が水平方向に形成されている。また、切欠部１６の上面側には、この切欠部１６に開口して小溝１７が形成されている。なお、図２に示した支柱４は、図１に示した３本の支柱４，４，４のうち、中間の支柱４を示したものである。
【００３７】
図２に示したように、両端部以外に配置される支柱４には、２枚一対の側板部１４、１４にそれぞれ切欠部１６と小溝１７とが同様に形成されるが、例えば、図１の左側の端部に配置される支柱４ａの場合と、右側の端部に配置される支柱４ｂの場合には、それぞれ左側側板部１４ａと右側側板部１４ｂには、切欠部１６と小溝１７とを形成する必要がない。
【００３８】
図２に示したように、側板部１４に形成された切欠部１６の切り込み幅（入口高さ）Ｔは、図３に示した棚板６の厚さＵより若干高く設定されており、取り付け時にがたつきが過度に生じない程度にクリアランスが確保されている。一方、切欠部１６の奥行きＶは、棚板６を切欠部１６内に差し込んだ場合に、図４に示したように、棚板６の先端側の凹溝２２が、側板部１６の小溝１７に合致できる位置に形成されている。
【００３９】
支柱４に支持される棚板６は、断面略Ｌ字状の中空体により形成されたもので、水平方向に長く延出された底板部１８と、この底板部１８から垂直方向に立ち上げられた前板部２０とにより構成されている。底板部１８の上面には、支柱４の小溝１７に合致される凹溝２２の他に、他の凹溝２４が平行に形成されている。
【００４０】
また、棚板６の前板部２０には、強度を確保するために、左右方向に３本の線状溝２６，２８，３０が形成されている。
本実施例による支柱４と棚板６とは上記のように構成されているが、以下に支柱４と棚板６との組付けについて説明する。
【００４１】
上述したように、建築物の外壁面の大きさに合わせて適宜な長さの支柱４と棚板６とが複数本用意される。そして、複数本の支柱４を所定間隔離反して外壁面８に配置し、背板部１２の耳部の孔１０からボルトを挿通して外壁面８に取り付ける。
【００４２】
さらに、外壁面８に固定された支柱４の切欠部１６に対し、棚板６を水平方向から着脱自在に差し込んで装着する。このとき、例えば、３本の支柱４、４ａ、４ｂのうち中間の支柱４には両方の側板部１４に一対の切欠部１６が形成されているので、これらの切欠部１６、１６に棚板６の底板部１８を差し込む。一方、両端部の支柱４ａ、４ｂには１つの切欠部１６が形成されているので、この１つの切欠部１６に底板部１８を差し込む。なお、左右両端部の支柱４ａ、４ｂにおける側板部１４ａ、１４ｂには、不要な孔が形成されていないので、外方からの美観が確保される。
【００４３】
棚板６を差し込むにあたり、棚板６に設けた建物側の凹溝２２を支柱４の小溝１７に合致する位置まで底板部１８を挿入する。
そして、この凹溝２２と小溝１７との位置合わせが完了したら、本実施例では、支柱４に対する棚板６の組付けを確実にするため、下記のように棚板６の抜け止めを行う。
【００４４】
すなわち、棚板６の抜け止めには、例えば、図２に示したような予め棒状の係止部材３０が用意される。そして、この係止部材３０が水平方向に差し込まれることにより、支柱４と棚板６との間が着脱自在に、かつ一体的に組付けられる。
【００４５】
棒状の係止部材３０は、図２に示したように、例えば、金属製の板材素材を断面略コ字状に折り曲げるとともに、両端部に弾性片３２、３４を備えたもので、弾性片３２、３４の内の距離Ｘが、例えば、支柱４に形成された一対の側板部１４，１４間の外の長さＹに対応している。
【００４６】
また、係止部材３０の底面から弾性片３２の天面までの高さＷが、支柱４の切欠部１６の底面１６ａから小溝１７の天面１７ａまでの高さＺより、若干高く設定されている。そして、この棒状の係止部材３０が、図２において矢印Ａ方向に差し込まれると、係止部材３０の中間部分（長さＸで示される部分）が一対の側板部１４，１４の内方に配置される。また、弾性片３２が小溝１７内に押し込まれて弾性変形することにより、係止部材３０の小溝１７からの左右方向への抜けが防止され、ひいては棚板６の支柱４からの抜けが防止される。
【００４７】
このように、支柱４の小溝１７および棚板６の凹溝２２は、互いに合致してここに係止部材３０が装着されればよいのでこれら支柱４および棚板６の上下反転した位置に設けることもできる。しかしながら、本実施例のように凹溝２２と小溝１７とを上側に設けた方が施工性が良いという利点がある。一方、下側に設けた場合は、施工性は上側に設けた場合より劣るものの、棚板６および棚板６に載せる培地や植物などの荷重が加わるため、棒状の係止部材３０が抜けにくいという利点がある。上下両方に設けると施工工数は増加するが、さらに棚板６の固定が強固になる。それぞれに利点があることから、要求に応じて適宜選択することができる。
【００４８】
係止部材３０の形状は特に制限されないが、加工のし易さなどから、上記実施例のように、長方形断面または円形断面を有する棒状とすることが好ましい。表面側の平滑性に留意するのであればＴ字状や、固定面積多く取るのであれば十字状などを用いても良い。
【００４９】
凹部及び棒状の係止部材の寸法を以下例示する。
例えば開口部（小溝１７）が１つの場合であって、係止部材３０として長方形断面のものを用いる場合、差込方向に垂直な断面寸法ａを厚み５〜７ｍｍ、幅ｂを８〜１０ｍｍとし、小溝１７の寸法を、高さ３〜５ｍｍ、幅１０〜１３ｍｍ程度とすることが好ましい。この場合、支柱４の小溝１７と、棚板６の凹溝２２が略向かい合わさると高さ６〜１０ｍｍ、幅８〜１５ｍｍの開口部となり、棒状部材３０を差し込むと、高さ方向の両端にそれぞれ０．５〜１．５ｍｍ程度、幅方向の両端にそれぞれ１〜１．５ｍｍのクリアランスを確保することができる。
【００５０】
また例えば、係止部材３０として円形断面のものを用いる場合、係止部材３０の直径を４〜６ｍｍとし、小溝１７の寸法を半径３〜４ｍｍ程度の半円状することもできる。この場合、支柱４の小溝１７と、棚板６の凹溝２が略向かい合わさると直径６〜８ｍｍの円状の開口部となり、係止部材３０を差し込むと、高さ方向の両端にそれぞれ１ｍｍ程度のクリアランスを確保することができる。
【００５１】
該係止部材３０は棚板６と支柱４との間に差し込む部材であることから、その長さは支柱４の側板部１４間より長いことが好ましいが、長すぎると施工時に他の部位に干渉したりして好ましくない。従い、支柱幅（側板部１４間）に対して１０ｍｍ程度長く確保することが好ましい。例えば支柱幅が５０ｍｍであれば該棒状部材の長さは６０ｍｍ程度となる。
【００５２】
なお、棒状の係止部材３０は中実であっても中空であっても良い。
また、該係止部材３０を前記小溝１７に差し込んだ後、差込部にアルミニウムテープやゴムシートで目隠しをすると抜け落ち防止になるだけでなく、外観も損ねないため好ましい。
【００５３】
本実施例の棚板６は後述の袋体４０を載せることができる底板部１８と前板部２０とを有していれば良い。
また、棚板６は板状部材を加工しても良いし、中空部材を加工しても良い。このうち、板状部材を用いるのに対し板厚みは薄くしつつも中空とした部材を加工するとも重量の大幅増なしに強度をさらに向上させることができるため好ましい。
【００５４】
また、棚板６の前板部２０が外壁面８と略平行になるように用いると、植物を栽培するための袋体４０が外部に落ちることがないので好ましい。前板部２０の高さは袋体がこぼれ落ちない高さ以上であれば良く、袋体４０が見えない程度か、あるいは袋体４０と略同一高さまでの間で適宜選定することが出来る。例えば、袋体４０が外部から見えても良い場合は２ｃｍ程度以上あれば良く、袋体４０が外部から見えない方がよい場合は袋体４０の高さより１乃至２ｃｍ程度高くすることが好ましい。
【００５５】
本発明の壁面緑化構築体１で栽培される植物は、棚板６に培地を設けて植栽する方法や、ポットなどに入れて植栽する方法を採用することもできるが、建築物周辺の汚損防止の点から、図４に示したように、培地を不織布で作成した袋体４０に詰め、該袋体４０のうち植物を配置したい位置に該植物が配置できる大きさの穴を開け、該穴が棚板６上の植物を育成させたい方向を向くようにした上で、該袋体４０を棚板６上に置く方法が、施工も極めて容易であり、培地が飛散せず建築物外観を損ないにくいこと、さらに外部から雑草の種が飛んできて培地に入り雑草が生い茂るといったことが低減されることから好ましい。なお、この袋体４０は棚板６の底板部１８の長さに対応して、水平方向に長く形成されたものである。
【００５６】
該穴の大きさは、植栽する植物の大きさにより適宜選択することとなり、一概に決めることが出来ない。
前記袋体４０を構成する不織布は、通水性があり、かつ、培地に用いる土壌などが漏れないような目付を有しているものから適宜選定することができる。また、太陽光を受けることから耐候性付与剤を添加することが好ましい。
【００５７】
不織布の目付としては８０〜２００ｇ／ｍ２が適している。８０ｇ／ｍ２より軽いと空隙があき、培地がこぼれるおそれが高まってくる。一方、２００ｇ／ｍ２より重いと目が詰まりすぎ、通水性が不足してくる可能性がある。このうち、概ね１００ｇ／ｍ２のものが入手し易く、かつ、通水性、培地のこぼれにくさを兼ね備えており好ましい。
【００５８】
不織布を構成する材料としては、ポリプロピレン、ナイロンやポリエステルといったプラスチックが適している。このうちポリプロピレンが、吸水性が小さいこと、抗菌性にも優れ、また袋製作時の加工性にも優れていることから好ましい。耐候性付与剤については、一般的に用いられる公知の紫外線吸収剤などを前記プラスチックに応じて適宜選択すれば良い。
【００５９】
前記袋体４０は倍地を封入した後、任意の方法で閉じることが出来る。例えば、熱融着で閉じても良いし、クリップ状の部材を用いて閉じても良い。あるいは糸などで縫合しても良い。このうち、クリップ部材で閉じる方法が施工性が良く好ましい。
【００６０】
前記袋体４０に詰める培地としては、単なる土壌でも良いが、例えば肥料を混ぜた土壌や、繊維状鉱物やプラスチックに肥料を配合したものを用いても良く、植物や環境に応じて適宜選定すれば良い。
【００６１】
なお、植物は前記袋体４０を棚板６に置く前に前記穴を開け植裁しても良いし、前記袋体４０を棚板６上に配置した後に前記穴を開け植栽しても良い。穴については丸穴でも良いし、例えば十字状に切れ目を入れてもよく、形状については本発明の主旨に反しないかぎり適宜選択することができる。
【００６２】
該植物には設置する周囲の状況や目的に応じて種々の植物を選定することができる。このうち、常緑であり、乾燥や温度変化に強く、照度が低くとも枯れにくく、かつ成長時においても高さが高く成り難い植物を用いると、保守性が良好であり、かつ、美麗性も維持し易いため好ましく、例えば、品種登録名称「トットリフジタ２号」（農林水産省品種登録番号１５８６７）が好ましい。さらに該「トットリフジタ２号」は可食であり、災害時には容易に入手できる非常用食料として使用することができるため、さらに好ましい。
【００６３】
また、袋体４０を棚板６上に設置した後、網等をかぶせたり袋体４０を固縛するように紐をかけるなどし、網あるいは紐の端部を棚板あるいは棚板６と支柱４に係止すると、袋体４０が確実に固定されること、さらに袋体４０が盗難などに遭いにくくなることから好ましい。
【００６４】
袋体４０自体に係止用の部材、例えばフックや紐をあらかじめ付けておき棚板等に係止めする方法や、棚板６にあらかじめ係止用の部材、例えばフックや紐をつけておき袋体に係止する方法、あるいは袋体と棚板等の両方に係止部、例えば穴、を設け、袋体を棚板上に載せた後、双方の前記係止部に係るようにフックなどを取り付ける方法を採っても同様の効果がある。
【００６５】
この場合の網の材質、太さ、目開き、あるいは紐の太さや係止部材の大きさは外観などの事情を考慮して任意に選定することができる。
一方、本発明の壁面緑化構築体１には、図４に断面で示したように、建築物外壁面８と略平行となる矩形平板状のアクリル樹脂発泡体４２を予め用意し、この発泡体４２を支柱４の背面板１２に沿わせて設置する事が好ましい。
【００６６】
このような発泡体４２を背板部１２に沿わせて設置することで、植物由来の汚れが建築物に付着することを低減でき、かつ、外部からの汚れについても付着低減することができる。さらに発泡体４２を用いることで、吸音性を付与することもでき建築物への外部からの騒音を低減することもできる。
【００６７】
アクリル樹脂は耐候劣化し難いという特徴を有している。このため、発泡体４２の材料としてはアクリル樹脂を用いることが好ましい。
発泡体４２の厚み、大きさ、あるいは発泡倍率は壁面緑化構築体１の大きさに合わせて強度を満足するように適宜選定すれば良い。また、風圧などのためたわみが予想される場合は、背面板１２を支えるようにサポート梁を配してもよい。
【００６８】
発泡体４２の取り付け方法には特に制限がない。例えば支柱４に切り込みを入れはめ込む方法、支柱４あるいは棚板６の端部にボルト、フックなどで係止する方法、支柱に接着剤で貼り付ける方法など、適宜選定すれば良い。
【００６９】
なお、本発明の壁面緑化構築体１には給水機構を併用することが好ましい。
該給水機構は前記袋体４０に定期的かつ確実に給水できることができればその機構は特に制限されない。例えば、袋体４０の上方、例えば上部に位置する棚板６の裏面付近に散水栓を設けてシャワー状に散水ないし滴下給水する方法、袋体４０の上面に適宜給水穴を開けた配管を敷設し給水する方法、袋体４０の下側に給水配管を敷設し給水する方法といった方法を選定することができる。
【００７０】
このうち、棚板６の凹溝２２、２４のうち、棒状の係止部材３０を挿入しない側の凹溝２４を利用し、この凹溝２４に沿って適宜給水穴を設けた給水配管を敷設し、該給水穴から排出された水を前記袋体４０を構成する不織布に吸わせることで給水する方法が、給水配管が外部から見え難く外観美麗性が確保できること、角部に沿って配管を敷設することで敷設作業性が向上すること、袋体内部の培地に比較的均一に給水できることなどから好ましい。
【００７１】
該給水配管は、水道栓や給水タンクに接続し自動弁を設置し定期的に自動で給水する方法を用いることが保守に要する作業工数が削減でき好ましい。
以上、本発明の好ましい実施例を示したが、本発明はこれに限定されない。
【００７２】
例えば、上記実施例では、建築物の外壁面８に直接支柱４を設置したが、これに変え、建築物から離反した位置にＨ型鋼などを打ち込み、これに支柱４を固定しても良い。勿論、支柱４の数、高さ、棚板６の段数なども適宜変更可能である。
【００７３】
また、栽培する植物は、如何なるものであっても良い。
以下、本発明の実施形態の一例を示す。一例であり、本発明がこれら実施形態に限定されるわけではない。
【００７４】
実施例１
ＹＫＫＡＰ社製のＪＩＳ  Ｈ４１００  Ａ６０６３に合格したアルミニウム合金を施したアルミニウム合金押出形材を用い、板肉厚２ｍｍ、断面寸法が１３０ｍｍ×８３ｍｍ  長さ１８００ｍｍの図２に示す形状の支柱４と、  図３に示す略Ｌ字状の断面形状を有する板肉厚１．２ｍｍ、１０２ｍｍ×８０ｍｍ×厚み１２ｍｍ、  幅１８００ｍｍの中空の棚板６、さらに断面寸法９ｍｍ×６ｍｍで長さ６０ｍｍの棒状の係止部材３０を、加工した。
【００７５】
該支柱４及び棚板６にはＪＩＳ  Ｈ８６０２  Ｂ種の表面処理を施した。
支柱４には棚板６を差し込むための切欠部１６を、部材の長手方向と直行するよう支柱４の正面側から深さ３５ｍｍ、幅１５ｍｍで、支柱底から６４ｍｍを基準として１８０ｍｍ毎に切削加工した（加工箇所は支柱毎に１０カ所となる）。
【００７６】
また、該切欠部１６にはそれぞれ、支柱４の正面から深さ１０ｍｍの点を中心に、また、切り欠き幅の中心を原点として、幅１２ｍｍ、高さ３ｍｍの棒状の係止部材３０の挿入用の小溝１７を加工した。
【００７７】
棚板６のうち支柱４に差し込む部分については、差込端部から８ｍｍの点、すなわち支柱４の小溝１７と対応するように、支柱切り欠き幅の中心を原点として、幅１０ｍｍ、高さ３ｍｍとなるように、支柱４と同じく棒状の係止部材３０の挿入用の凹溝２２を設ける。該凹溝２２は押し出し時に金型に前記形状を付与しておくことで取得した。
【００７８】
加工した支柱３本を互いに９００ｍｍの間隔を開け、該支柱４が建築物の外壁面８に平行かつ地面より鉛直になるように、支柱毎にＭ１０のボルトを用い棚取り付け位置と両端の計６箇所で建築物の外壁面８に固定した。
【００７９】
該固定された支柱４の切欠部１６に対し、前記棚板６をＬ字が建築物の外壁面８との間でＵ字となるような方向で差し込んだ。差し込んだ状態を図４の側図に拡大して示す。
前記係止部材３０を差込んだ後、棚板部を手でもって１０回手前に引っ張り、係止部材３０が外れないこと、棚板６が抜けないことを確認した。
【００８０】
組み立てた各棚板６のＬ字の曲げ角部内側に沿って、末端を封止し３００ｍｍ毎に１ｍｍの穴を開けた直径６ｍｍの低密度ポリエチレン製パイプを敷設した。該ポリエチレン製パイプの一方の端は自動電磁弁に取付け、さらに自動電磁弁からホースにて水道蛇口に取付け、前記ポリエチレン製パイプ・ホース共に末端に向けてたるみが無いように敷設した。
【００８１】
その後、前田工繊株式会社製不織布スプリトップ（材質：ポリプロピレン製、目付１００ｇ／ｍ２、耐候性仕様）を用い、袋状に超音波溶着加工した袋に、培土（配合比率  バーク10%、赤玉土20%、ココチップ30%、活性炭10%、鹿沼土20%、黒土10%）を詰めた後、袋の端をクイック・ロック・ジャパン株式会社製Ｚクロージャー(材質：ポリスチレン製  穴サイズＴＧ−７)で止めたものに、１８５ｍｍ毎にカッターにて概ね３０ｍｍ長の切込み２線を十字状になるように入れ、該切込み部に品種登録名称「トットリフジタ２号」（農林水産省品種登録番号１５８６７）を植栽したものを、該棚板に載せた。
【００８２】
このようにして完成した壁面緑化構築体に対して、１日に２回、各２０分間、自動で前記電磁弁を開け水を流し、散水し運用した。
全体図を図５に示す。
【００８３】
実施例２
実施例１の壁面緑化構築体１に対し、株式会社カネカ製カネパールＡＸ（発泡製メタクリルビーズ）を用い発泡倍率２０倍に発泡し、１８００ｍｍ×８３０ｍｍ×１５ｍｍの板状に成形した板材を発泡体４２として設置した。
【００８４】
該発泡体４２は、支柱４の背板部１２に対して、支柱１本あたりＭ１０のボルトを９００ｍｍ毎に６本用いて固定した(６本×支柱３本＝計１８本)。
発泡体４２の設置後、建築物内に入り外部の音の伝わり具合（遮音性）、及び屋内の体感温度（断熱性）を確認した。その結果、実施例１の場合に比べて音が小さくなっていること、また日中陽が指していたにもかかわらず屋内は体感温度が幾分低く感じることを確認した。
【符号の説明】
【００８５】
１  壁面緑化構築体
４  支柱
６  棚板
８  外壁面
１０  孔
１２  背面板
１４  側板部
１６  切欠部
１７  小溝
１８  底板部
２０  前板部
２２、２４  凹溝
３０  棒状の係止部材
４０  袋体
４２  発泡体
【図１】
0005689263.tif 000002
【図２】
0005689263.tif 000003
【図３】
0005689263.tif 000004
【図４】
0005689263.tif 000005
【図５】
0005689263.tif 000006